(57)【要約】【課題】通気性を有する凹凸屋根において、その通気性の低下を抑制して、棟面戸の取付作業を簡素にした屋根構造を提供する。【解決手段】本発明は、屋根下地１１上に設けられた凹凸屋根材３と、凹凸屋根材３の棟側に設けられた棟面戸２とを備え、凹凸屋根材３が、下方に開口し上方に突出する凸部３１と、上方に開口し下方に凹む凹部３４とを棟に沿う方向に交互に有した屋根構造１であって、棟面戸２は、棟に沿う方向に長尺で、棟に沿う方向に視た断面形状が軒側に開口した角形Ｕ字状であり、棟面戸２は、前記Ｕ字の底部２０の板面を屋根勾配に直交して配置して、前記Ｕ字の内部に凹凸屋根材３の棟側端部３０を嵌め付け、底部２０が、凹部３４の棟側開口３５を覆う覆い部２５と、凸部３１の棟側開口３２に連通する通気孔２６とを各々複数有するものとした。【選択図】図１
2014198955.tif 000002
【特許請求の範囲】
【請求項１】
屋根下地上に設けられた凹凸屋根材と、この凹凸屋根材の棟側に設けられた棟面戸とを備え、前記凹凸屋根材が、下方に開口し上方に突出する凸部と、上方に開口し下方に凹む凹部とを棟に沿う方向に交互に有した屋根構造であって、
前記棟面戸は、棟に沿う方向に長尺で、棟に沿う方向に視た断面形状が軒側に開口した角形Ｕ字状であり、
前記棟面戸は、前記Ｕ字の底部の板面を屋根勾配に直交して配置して、前記Ｕ字の内側に前記凹凸屋根材の棟側端部を嵌め付け、
前記底部が、前記凹部の棟側開口を覆いこの棟側開口の端縁に当接する覆い部と、前記凸部の棟側開口に連通する通気孔とを各々複数有することを特徴とする屋根構造。
【請求項２】
前記棟面戸と前記凹凸屋根材の棟側端部との間に、止水部材を設けたものであることを特徴とする請求項１記載の屋根構造。
【発明の詳細な説明】
【技術分野】
【０００１】
本発明は、屋根構造に関する。
【背景技術】
【０００２】
特許文献１には従来の屋根構造が開示されている。この特許文献１記載の屋根構造は、ルーフデッキと、棟包板とを備えている。ルーフデッキは、凸部と凹部とが軒に沿った方向に交互に形成されている。棟包板は、ルーフデッキの棟側の端部を覆うようにして取り付けられている。このような特許文献１記載の屋根構造は、棟包板とルーフデッキとの間に、棟面戸が設けてある。この棟面戸は、ルーフデッキの表面形状に沿った逆三角形状に形成されており、凹部に配置される。これによって、前記屋根構造は、軒側から棟面戸より棟側への雨水の侵入を抑制している。
【先行技術文献】
【特許文献】
【０００３】
【特許文献１】特開２００３−１３８６９５号公報
【発明の概要】
【発明が解決しようとする課題】
【０００４】
ところで、特許文献１等に示す屋根構造にあっては、凹部毎に棟面戸を取り付けている。このため、従来の屋根構造にあっては、施工時に手間がかかり、作業者に対する負担が大きくなり易く、また施工時間が長くなり易い。
【０００５】
本発明は、前記事情に鑑みてなされたものであって、通気性を有する凹凸屋根において、その通気性の低下を抑制して、棟面戸の取付作業を簡素にした屋根構造を提供することを課題とする。
【課題を解決するための手段】
【０００６】
前記課題を解決するために本発明は、屋根下地上に設けられた凹凸屋根材と、この凹凸屋根材の棟側に設けられた棟面戸とを備え、前記凹凸屋根材が、下方に開口し上方に突出する凸部と、上方に開口し下方に凹む凹部とを棟に沿う方向に交互に有した屋根構造であって、前記棟面戸は、棟に沿う方向に長尺で、棟に沿う方向に視た断面形状が軒側に開口した角形Ｕ字状であり、前記棟面戸は、前記Ｕ字の底部の板面を屋根勾配に直交して配置して、前記Ｕ字の内側に前記凹凸屋根材の棟側端部を嵌め付け、前記底部が、前記凹部の棟側開口を覆いこの棟側開口の端縁に当接する覆い部と、前記凸部の棟側開口に連通する通気孔とを各々複数有することを特徴とする。
【０００７】
また、前記棟面戸と前記凹凸屋根材の棟側端部との間に、止水部材を設けたものであることが好ましい。
【発明の効果】
【０００８】
本発明は、棟面戸によって、凹凸屋根の通気性の低下を抑制して、凹凸屋根材の棟側端部に凹部内の水に対する浸水防止構造（止水構造）を形成することができる。そして、本発明は、棟面戸を凹凸屋根材の棟側端部に取り付け易くすることができる。このように、本発明は、通気性を有する凹凸屋根において、その通気性の低下を抑制して、凹部の棟側開口を覆う棟面戸の取付作業を簡素にすることができる。
【図面の簡単な説明】
【０００９】
【図１】第一実施形態の面戸と凹凸屋根材の斜視断面図である。
【図２】第一実施形態の屋根構造を示し、凹凸屋根材の一部及び棟包みを取り外した状態で上方側から視た斜視図である。
【図３】同上の状態で棟側から視た斜視図である。
【図４】第一実施形態の屋根構造の斜視図である。
【発明を実施するための形態】
【００１０】
以下、本発明を添付図面に基づいて説明する。
【００１１】
本実施形態の屋根構造１は、例えば図４に示すように、片流れ屋根を有する建物７に適用される。屋根構造１は、屋根下地１１（図１参照）上に設けられる。そして、屋根構造１は、凹凸屋根材３と、棟包み１２と、棟面戸２（図１参照）とを備える。以下の説明では、傾斜した屋根面に沿って軒と棟を結ぶ矢印Ｄ１に示す方向（屋根勾配に沿った方向）を、軒棟方向とし、水上側を棟側とし、水下側を軒側とする。そして、軒棟方向に直交する棟に沿う矢印Ｄ２に示す方向を、棟方向とする。なお、本実施形態において、軒は、棟方向に沿って（棟方向と平行に）設けてある。
【００１２】
屋根下地１１は、屋根勾配と略同じ角度で傾斜している。言い換えると、屋根下地１１は、棟から軒に向かって下り傾斜している。屋根下地１１は、例えば野地板で形成されており、この野地板は、垂木等の構造躯体上に設けられる。前記野地板は、棟側から軒側に向けて一様な角度で下り傾斜しており、屋根勾配（軒棟方向）と平行となっている。また、屋根下地１１（前記野地板）上には、図２に示すように、複数の凹凸屋根材３が載置される。
【００１３】
凹凸屋根材３は、図４に示すように、下方に開口し上方に突出する凸部３１と、上方に開口し下方に凹む凹部３４とを有する。凸部３１と凹部３４とは、棟方向に交互に並んで形成される。凸部３１の側面部は、隣接する凹部３４の側面部を兼ねており、この側面部は凸部３１の天面部や凹部３４の底面部に対して略直交している。
【００１４】
凸部３１及び凹部３４は、その断面形状が各々、軒棟方向において一様となっている。図２に示すように、凸部３１及び凹部３４は、その棟側端部が各々、棟側（水上側）に開口する。言い換えると、凸部３１及び凹部３４は各々、棟側開口３２，３５を有する。凸部３１の棟側開口３２は、凹部３４の棟側開口３５と前記側面部を介して棟方向に隣り合う。
【００１５】
更に、図４に示すように、凸部３１及び凹部３４は、その軒側端部が各々、軒側（水下側）に開口する。言い換えると、凸部３１及び凹部３４は各々、軒側開口を有する。凸部３１は、軒棟方向において、軒側開口と棟側開口３２とが連通しており、凸部３１の内部空間が通気空間３１ａとなっている。このため、屋根構造１は、通気空間３１ａを介して、棟側の換気を行うように構成される。凹部３４は、軒棟方向において、軒側開口と棟側開口３５とが連通している。
【００１６】
また、凹凸屋根材３は、例えば、ルーフデッキや、折板材等となっており、軒棟方向に直交して切断した断面が角波状となるように形成される。そして、凹凸屋根材３は、例えば鋼板製となっている。なお、凹凸屋根材３は、断面丸波状に形成されてもよく、断面形状は、前記波状に限定されない。そして、凹凸屋根材３は、鋼板以外の金属板で形成してもよく、また、その材質は金属に限定されるものではない。
【００１７】
凹凸屋根材３は、棟方向に並べて（隣り合って）配置される。そして、棟方向において隣り合う凹凸屋根材３は、連結具（図示せず）を介して連結される。この連結具は、例えばビスや釘等の固着具（図示せず）を用いた固着によって、屋根下地１１に固定される。これによって、凹凸屋根材３は、屋根下地１１に対して固定される。更に、前記連結具には、カバー部材１３が取り付けてある。
【００１８】
カバー部材１３は、前記隣り合う凹凸屋根材３の間の部分、及びこの部分に設けた前記連結具を覆う。カバー部材１３は、凸部３１を模した外観形状で形成される。そして、カバー部材１３は、棟方向において、凹部３４と隣り合う。このため、屋根構造１の屋根面は、カバー部材１３で覆う部位を含めて、凹部３４と凸部３１とが棟方向に交互に並ぶように構成される。
【００１９】
このように、本実施形態の屋根構造１は、その屋根面が複数の凹凸屋根材３で形成されており、凹凸形状の屋根面となっている。言い換えると、凹凸屋根材３は、その上面が屋根面となっている。そして、本実施形態では、前記屋根面上に機能パネル５が設けてあり、機能パネル５は、例えば太陽光発電パネルとなっている。なお、機能パネル５は、太陽光発電パネルに限らない。
【００２０】
棟包み１２は、凹凸屋根材３の棟側端部３０の上方側に配置してある。棟包み１２は、板状となっており、例えば、金属板を曲げ加工することで形成される。棟包み１２は、軒棟方向に幅を有する。そして、棟包み１２は、軒棟方向に直角な方向（棟方向）に長さを有しており、棟側端部３０を棟方向の略全長に亘って覆う。
【００２１】
このため、棟包み１２は、その上面等が、屋根構造１の棟側の外観面を形成する。なお、棟包み１２は、複数の凹凸屋根材３で形成される屋根面の前記全長を、一部材で覆ってもよいし、複数の部材を棟方向に連結して覆ってもよい。
【００２２】
棟面戸２は、凹凸屋根材３の軒側端部に取り付けてある。棟面戸２は、その上方側が棟包み１２に覆われる。棟面戸２は、棟方向に長尺に形成される。棟面戸２は、棟方向に視た断面形状が、角形Ｕ字状（所謂コ字状）となっており、Ｕ字の端部開口が軒側を向く。言い換えると、棟面戸２は、軒棟方向に直交して板面を有する第１板状部２１と、第１板状部２１の下端から軒側に突出する第２板状部２２と、第１板状部２１の上端から軒側に突出する第３板状部２３とで形成される。そして、第１板状部２１が、Ｕ字の底部２０となっており、第２板状部２２と第３板状部２３とが、軒棟方向及び棟方向の両方向に直交する向きにおいて、対向して位置する。
【００２３】
また、第２板状部２２は、凹凸屋根材３と屋根下地１１との間に配置される。言い換えると、凹凸屋根材３は、棟側端部３０が、第２板状部２２を介して屋根下地１１上に載置される。このため、棟面戸２は、そのＵ字の内部に棟側端部３０が位置する。そして、棟面戸２は、第２板状部２２の上面に凹部３４の底面部の下面が当接され、第３板状部２３の下面に凸部３１の天面部の上面が当接される。
【００２４】
このため、棟面戸２は、その内側に棟側端部３０を嵌める（嵌め付ける）ことができる。言い換えると、棟面戸２は、棟側端部３０に被せるように、棟側端部３０と嵌め合せることで、凹凸屋根材３の棟側に取り付けられる。これによって、棟面戸２は、釘やビス等の固着具を用いなくても、凹凸屋根材３や屋根下地１１に取り付けることができる。以下、棟面戸２を凹凸屋根材３の棟側に取り付けた状態を、単に取付状態と記載する。
【００２５】
第１板状部２１は、軒棟方向に貫通して開口部を複数有しており、開口部は、棟方向に所定の間隔をおいて複数設けてある。開口部は、取付状態で、軒棟方向において、凸部３１の棟側開口３２に並ぶ。そして、開口部は、凸部３１の棟側開口３２に比べて小寸で開口しており（形成されており）、軒棟方向に視て棟側開口３２の内側に位置する。このため、開口部は、取付状態において、通気空間３１ａに連通する。
【００２６】
言い換えると、棟面戸２は、凸部３１の棟側開口３２に対応する位置に各々、開口部を有する。そして、棟面戸２は、開口部と凸部３１の棟側開口３２とを軒棟方向に連通させた状態で、棟側端部３０に取り付けられる。このため、開口部は、通気空間３１ａに対する棟面戸２の通気孔２６（図３参照）となっており、屋根構造１は、通気空間３１ａ及び通気孔２６を介して、凹凸屋根材３より棟側の換気を行うことができる。
【００２７】
また、棟面戸２は、取付状態で、第１板状部２１の軒側の板面（第１面）が凸部３１の棟側開口３２の端縁（凸部３１の棟側端辺）及び凹部３４の棟側開口３５の端縁（凹部３４の棟側端辺）に当接される。言い換えると、第１板状部２１は、第１面を、凸部３１の天面部の棟側端辺と、凸部３１の側面部（凹部３４の側面部）の棟側端辺と、凹部３４の底面部の棟側端辺とに当接して、棟側端部３０に取り付けられる。このため、第１板状部２１は、軒棟方向における開口部（通気孔２６）の間の部位で、凹部３４の棟側開口３５を覆い閉塞する。そして、凹凸屋根材３は、前述の第１板状部２１との当接によって、凹部３４の棟側開口３５から棟側への水の流出が抑制される。
【００２８】
言い換えると、第１板状部２１は、凸部３１の棟側開口３２に連通する通気孔２６（開口部）と、凹部３４の棟側開口３５を覆う覆い部２５とを各々複数有する。第１板状部２１は、軒棟方向において、通気孔２６と覆い部２５とが交互に並ぶ。そして、棟面戸２は、取付状態で、凹部３４の棟側開口３５（棟側端部３０）に、凹部３４内の水に対する浸水防止構造（止水構造）を形成する。このため、凹凸屋根材３の表面（屋根面）上の雨水は、凹部３４の棟側開口３５を介した凹凸屋根材３より棟側への浸入が抑制される。
【００２９】
また、棟面戸２は、複数の通気孔２６と複数の覆い部２５とを、第１板状部２１に有する。このため、屋根構造１は、凹凸屋根材３に棟面戸２を取り付けることで、複数の凹部３４に対して各棟側開口３５を覆うことができる。言い換えると、屋根構造１は、一つの棟面戸２で、複数の凹部３４の棟側開口３５を覆うことができる。
【００３０】
これによって、屋根構造１は、凹部３４毎に棟側開口３５を覆う場合に比べて、凹部３４の棟側開口３５を覆う作業が簡素になり（簡素に行えて）、作業者の負担軽減や作業時間の短縮を行い易くすることができる。なお、棟面戸２は、複数の凹凸屋根材３で形成される屋根面の前記全長を、一部材で覆うものであってもよいし、複数の部材を棟方向に連結して覆い各部材が覆い部２５を二つ以上有するものであってもよい。
【００３１】
また、棟面戸２は、覆い部２５に止水部材を設けてもよい。この場合、前記止水部材は、例えば、エチレン・プロピレンゴム（所謂ＥＰＭやＥＰＤＭのゴム）等のゴム系部材で形成されており、ＥＰＤＭ（ゴム）発泡体が好ましい。前記止水部材は、第１板状部２１と棟側端部３０との間に配置される。前記止水部材は、例えば、凸部３１の棟側端辺（棟側開口３２の縁部）に沿って第１板状部２１（通気孔２６の縁を形成する部位）の第１面に設けてある。言い換えると、前記止水部材は、凸部３１の天面部及び側面部の棟側端辺に沿って設けられる。このため、前記止水部材は、棟面戸２を棟側端部３０に嵌め付けることで、第１板状部２１と棟側端部３０との間で圧縮される。
【００３２】
このように、屋根構造１は、前記間に前記止水部材を設けたことで、この間に止水構造を形成し易くなり、前記間において凸部３１の前記棟側端辺やその角（前記側面部における棟側端辺の上端や下端）等に隙間を生じ難くすることができる。このため、屋根構造１は、棟面戸２による凸部３１の棟側開口３２における止水性を向上し易くすることができる。
【００３３】
また、前記止水部材は、例えば、第２板状部２２と第２板状部２２に重なる凹部３４の底面部の棟側端部との間に設けてもよい。この場合、前記止水部材は、例えば、第２板状部２２の長手方向（棟方向）の略全長に亘って、第２板状部２２の上面に設けられる。このため、前記止水部材は、棟面戸２を棟側端部３０に嵌め付けることで、第２板状部２２と凹部３４の底面部との間（第２板状部２２と凹凸屋根材３０との間）で圧縮される。なお、第２板状部２２と凹凸屋根材３０との間において、前記止水部材は、第２板状部２２の凹部３４の底面部と重なる部位にのみ設けてもよい。
【００３４】
このように、屋根構造１は、前記間に前記止水部材を設けたことで、この間に止水構造を形成し易くなり、前記間において凹部３４の前記棟側端部やその角（前記底面部における棟側端部の棟方向の両端）等に隙間を生じ難くすることができる。このため、屋根構造１は、棟面戸２による凹部３４の棟側開口３５における止水性を向上し易くすることができる。
【００３５】
また、本発明は、片流れ屋根だけではなく、切妻屋根等のその他の形状の屋根にも適用可能である。また、本発明は、前述の各実施形態にのみ限定されるものではなく、要旨を逸脱しない範囲内で適宜変更して実施し得るものである。
【符号の説明】
【００３６】
１  屋根構造
１１  屋根下地
１２  棟包み
２  棟面戸
２０  底部
２５  覆い部
２６  通気孔
３  凹凸屋根材
３０  棟側端部
３１  凸部
３２  棟側開口
３４  凹部
３５  棟側開口
【図１】
2014198955.tif 000003
【図２】
2014198955.tif 000004
【図３】
2014198955.tif 000005
【図４】
2014198955.tif 000006